(57)【要約】      （修正有）【課題】藻類等の水中生物の育成を効果的に促進させることができ、環境に優しい施肥剤組成物、それを用いたブロックマット用型枠及びブロックマットを提供する。【解決手段】内壁層１６、外壁層１８、床底層２０、保持部２２、補強部材２４で構成するブロックマット用型枠２６とコンクリート１２とからブロックマットを形成し、ブロックマット用型枠全体あるいはその一部が、硫酸鉄とバーミキュライトと溶剤とを含む施肥剤組成物により含浸されており、内壁層１６、外壁層１８、床底層２０及び保持部２２は布製であり、縫製後であっても折り畳むことが可能となっている。【選択図】図４
2014231437.tif 000002
【特許請求の範囲】
【請求項１】
硫酸鉄、バーミキュライト及び溶剤を含む施肥剤組成物。
【請求項２】
Ｎａ、Ｍｇ、Ｍｎ、Ｚｎ、Ｓ及びＣｕからなる群より選ばれる少なくとも１種を含む化合物を、更に含有する、請求項１に記載の施肥剤組成物。
【請求項３】
前記硫酸鉄の含有量が３０〜４５質量％であり、
前記バーミキュライトの含有量が０．０３〜０．２０質量％である、
請求項１又は２に記載の施肥剤組成物。
【請求項４】
請求項１〜３のいずれか一項に記載の施肥剤組成物を含浸させた部材を備える、ブロックマット用型枠。
【請求項５】
前記ブロックマット用型枠は、折り畳み可能な材質で形成された型枠部材を備え、
前記型枠部材は、
筒体が挿入可能な開口部を形成する内壁層と、
前記内壁層の外周を取り囲むように構成された外壁層と、
コンクリートを流し込むための空間が形成されるように、前記内壁層の下端から前記外壁層の下端にかけて形成された底部と、
前記空間における前記内壁層と前記外壁層との間に掛け渡された保持部と、
を備え、
前記内壁層は、前記開口部に前記筒体が挿入されることで立設するように構成された、請求項４に記載のブロックマット用型枠。
【請求項６】
前記外壁層に取り付けられる板状の補強部材をさらに備える、請求項５に記載のブロックマット用型枠。
【請求項７】
前記補強部材が、天然素材である、請求項６に記載のブロックマット用型枠。
【請求項８】
前記型枠部材が、少なくとも前記コンクリートと接触する面に防水加工が施された布を、少なくとも有する、請求項５〜７のいずれか一項に記載のブロックマット用型枠。
【請求項９】
前記布の種類が、幌布である、請求項８に記載のブロックマット用型枠。
【請求項１０】
前記開口部に前記筒体が挿入された状態において、前記筒体の上端部と前記外壁層の上端部との間に掛け渡される線材を備える、請求項５〜９のいずれか一項に記載のブロックマット用型枠。
【請求項１１】
請求項１〜３のいずれか一項に記載の施肥剤組成物を含浸させた型枠部材を備える、ブロックマット。
【請求項１２】
前記型枠部材は、折り畳み可能な材質で形成され，
筒体が挿入可能な開口部を形成する内壁層と、
前記内壁層の外周を取り囲むように構成された外壁層と、
コンクリートを流し込むための空間が形成されるように、前記内壁層の下端から前記外壁層の下端にかけて形成された底部と、
前記空間における前記内壁層と前記外壁層との間に掛け渡された保持部と、
を備え、
前記内壁層は、前記開口部に前記筒体が挿入されることで立設するように構成され、
前記開口部に筒体が挿入された状態で前記空間に硬化前のコンクリートが流し込まれ、前記コンクリートが硬化することによって形成される、請求項１１に記載のブロックマット。
【発明の詳細な説明】
【技術分野】
【０００１】
本発明は、施肥剤組成物、ブロックマット用型枠及びブロックマットに関する。
【背景技術】
【０００２】
河川や海洋中で生育する藻類（コンブやワカメ等）の水中植物は、海藻群類等を構成することで、そこで生活する水棲生物や磯魚といった水産資源の繁殖に貢献するとともに、水質浄化にも貢献する。したがって、かかる水中植物をより効率的に生長させることは、水産資源の確保や海洋生物の生育環境の改善という観点から重要である。そのため、水中植物の生長を促進させるものとして施肥剤が用いられている。例えば、特許文献１には、硫酸鉄と天然塩を含む、粒状の施肥剤が開示されている。
【０００３】
一方、従来から藻場や魚場を養生したり、海洋や河川の浸食を防止したりする目的で、ブロックマット（「護岸ブロック」と呼ばれることもある。）が用いられている。ブロックマットを河川や海洋中に敷設することにより、人工の藻場や魚場を育成することができる。近年では、強度確保を短時間にかつ低コストに実施することが要請されており、かかる要請に応えるものとしてコンクリートを使用したブロックマットが用いられている。
【０００４】
かかるブロックマットに関する技術として、特許文献２には、コンクリートに空隙を設けることで、表面部における養生を容易にする技術が開示されている。
【先行技術文献】
【特許文献】
【０００５】
【特許文献１】特開２００１−００００７２号公報
【特許文献２】特開平０６−１０８４３７号公報
【発明の概要】
【発明が解決しようとする課題】
【０００６】
しかしながら、例えば、特許文献１に開示されている施肥剤成分は、一定の施肥効果が期待されるものではあるが、より一層優れた施肥効果が求められているのが現状である。
【０００７】
そして、特許文献２に開示されているようなコンクリート製のブロックマットを海中に敷設することで、藻場や魚場を構成することはできるが、水中植物の生育を促進させるという点では十分ではない。そのため、可敷設された上記ブロックマット等に、特許文献１に開示されているような施肥剤を投入することも行われているが、それでも施肥効果は長期にわたり持続するものではなく十分とはいえない。加えて、ブロックマットにおいては、現場でのブロックマットの製造が容易であり、かつ十分な強度を確保しつつ、植生や魚群の生息場所を設けることができるものが望まれている。
【０００８】
本発明は上記事情に鑑みてなされたものであり、藻類等の水中生物の育成を効果的に促進させることができ、環境に優しい施肥剤組成物、それを用いたブロックマット用型枠及びブロックマットを提供することを目的とする。
【課題を解決するための手段】
【０００９】
本発明者らは、上記目的を達成するために鋭意研究を重ねた結果、硫酸鉄と、バーミキュライトと、溶剤とを含む施肥剤組成物が、藻類等の水中生物の育成を効果的に促進させることができ、環境に優しいことを見出し、本発明を完成するに至った。
【００１０】
すなわち、本発明に係る施肥剤組成物は、硫酸鉄と、バーミキュライトと、溶剤とを含む施肥剤組成物である。
【００１１】
そして、本発明に係る施肥剤組成物は、Ｎａ、Ｍｇ、Ｍｎ、Ｚｎ、Ｓ及びＣｕからなる群より選ばれる少なくとも１種を含む化合物を、更に含有することが好ましい。これにより、胞子着礁後の細胞分裂の速度及び発芽後から生育速度を速めることができる。
【００１２】
また、本実施形態の施肥剤組成物において、前記硫酸鉄の含有量が３０〜４５質量％であり、前記バーミキュライトの含有量が０．０３〜０．２０質量％であることが好ましい。上記範囲の含有量とすることにより、藻類生育に有利な条件を提供することができる。
【００１３】
続いて、本発明では、上記施肥剤組成物を含浸させた部材を備える、ブロックマット用型枠とすることが好ましい。施肥材組成物は液体であるので、施肥剤組成物を含浸させた部材を用いることで、河川や海洋中に敷設時における施肥効果を長期にわたり安定して発揮することができる。含浸させる部材については、本実施形態の施肥剤組成物を保持できる部材であれば特に限定されず、例えば、各種布やコンクリート等も用いることができるが、含浸効果の観点から布であることが好ましく、更には環境への負荷を軽減できるという観点から、ヤシ素材等の天然素材からなる布が好ましい。また、本実施形態では、この含浸させた部材の表面に藻類胞子が付着し生育するが、粗度の違う部材を併用することで、選択的に所望の場所に藻類胞子を着床させることもできる。
【００１４】
前記ブロックマット用型枠としては、折り畳み可能な材質で形成された型枠部材を備え、前記型枠部材は、筒体が挿入可能な開口部を形成する内壁層と、前記内壁層の外周を取り囲むように構成された外壁層と、コンクリートを流し込むための空間が形成されるように、前記内壁層の下端から前記外壁層の下端にかけて形成された底部と、前記空間における前記内壁層と前記外壁層との間に掛け渡された保持部と、を備え、前記内壁層は、前記開口部に前記筒体が挿入されることで立設するように構成された、ブロックマット用型枠であることが好ましい。かかる構成のブロックマット用型枠とすることにより、型枠部材が折り畳み可能であるので、作業容易性に優れ、かつ所定の強度を付与させることができる。
【００１５】
そして、前記外壁層に取り付けられる板状の補強部材をさらに備えることが好ましい。かかる補強部材を備える型枠部材とすることで、外壁層を自立させることができる。
【００１６】
さらに、前記補強部材が、天然素材であることが好ましい。天然素材を用いることにより、環境への負荷を軽減することができる。天然素材としては、特に限定されないが、ヤシ素材等がより好ましい。
【００１７】
また、前記型枠部材が、少なくとも前記コンクリートと接触する面に、防水加工が施された布製であることが好ましい。布の種類は、特に限定されないが、防水性や強度の観点から、幌布であることがより好ましい。
【００１８】
さらに、前記ブロックマット用型枠としては、記開口部に前記筒体が挿入された状態において、前記筒体の上端部と前記外壁層の上端部との間に掛け渡される線材を備えることが好ましい。かかる線材により筒体と外壁層とを掛け渡すことにより、ブロックマット用型枠の形状保持性を向上させることができる。
【００１９】
またさらに、本発明では、前記施肥剤組成物を含浸させた型枠部材を備える、ブロックマットとすることができる。かかるブロックマットでは、施肥剤組成物を含浸させた部材を用いたブロックマットとすることにより、施肥剤組成物をブロックマットに塗布する場合に比較して、施肥剤組成物をブロックマットに十分に付着させることができる。例えば、施肥剤組成物が含浸された部材を型枠部材とし、この型枠部材の内部をコンクリートにより充填することでブロックマットとすることができる。かかるブロックマットを河川や海洋中に敷設した際には、水中において施肥剤が長期に亘り広い範囲で拡散させることができる。
【００２０】
前記型枠部材としては、折り畳み可能な材質で形成され、前記型枠部材は、筒体が挿入可能な開口部を形成する内壁層と、前記内壁層の外周を取り囲むように構成された外壁層と、コンクリートを流し込むための空間が形成されるように、前記内壁層の下端から前記外壁層の下端にかけて形成された底部と、前記空間における前記内壁層と前記外壁層との間に掛け渡された保持部と、を備え、前記内壁層は、前記開口部に前記筒体が挿入されることで立設するように構成され、前記開口部に筒体が挿入された状態で前記空間に硬化前のコンクリートが流し込まれ、前記コンクリートが硬化することによって形成される、ブロックマットであることが好ましい。かかる構成のブロックマットでは、型枠部材が折り畳み可能であるので、作業容易性に優れ、かつ所定の強度を付与させることができる。
【発明の効果】
【００２１】
本発明によれば、藻類等の水中生物の育成を効果的に促進させることができ、環境に優しい施肥剤組成物、それを用いたブロックマット用型枠及びブロックマットを提供することができる。
【図面の簡単な説明】
【００２２】
【図１】本実施形態に係るブロックマットの平面図である。
【図２】本実施形態に係るブロックマットの側面図である。
【図３】本実施形態に係るブロックマット用型枠を立体的に展開したときの平面図である。
【図４】本実施形態に係るブロックマット用型枠を立体的に展開したときの側面断面図である。
【図５】本実施形態に係るブロックマット用型枠の製造手順の前半を説明するための概略図であり、型枠の立体的展開状態を示す斜視図である。
【図６】本実施形態に係るブロックマット用型枠の製造手順の前半を説明するための概略図であり、内壁層への塩化ビニールパイプの挿入状態を示す斜視図である。
【図７】本実施形態に係るブロックマット用型枠の製造手順の後半を説明するための概略図であり、外壁層への補強部材の装着状態を示す斜視図である。
【図８】本実施形態に係るブロックマット用型枠の製造手順の後半を説明するための概略図であり、塩化ビニールパイプと外壁層との間への線材の掛止状態を示す斜視図である。
【発明を実施するための形態】
【００２３】
以下、本発明を実施するための形態（以下、単に「本実施形態」という。）について、必要に応じて図面を参照しつつ詳細に説明する。以下の本実施形態は、本発明を説明するための例示であり、本発明を以下の内容に限定する趣旨ではない。そして、本発明は、その要旨の範囲内で適宜に変形して実施できる。なお、図面中、上下左右等の位置関係は、特に断らない限り、図面に示す位置関係に基づくものとする。更に、図面の寸法比率は図示の比率に限られるものではない。
【００２４】
（施肥剤組成物）
本実施形態の施肥剤組成物は、硫酸鉄と、バーミキュライトと、溶剤とを含む。かかる施肥剤組成物は、藻類等の水中植物の細胞分裂を早め、発芽後の水中植物の生長を促進させることができる。水中生物を格段に生長させることができる。また、後述するように、本実施形態の施肥剤組成物は、液状であるため、これをブロックマット用型枠やブロックマットの部材に含浸させることで、一層の施肥効果を発揮することができる。以下、施肥剤組成物の各成分について説明する。
【００２５】
本実施形態の施肥剤組成物に含まれる硫酸鉄は、硫酸第一鉄（ＦｅＳＯ4）でもよいし、硫酸第二鉄（Ｆｅ2（ＳＯ4）3）でもよいし、これらの水和物や混合物であってもよい。さらには、ポリ硫酸第一鉄やポリ硫酸第二鉄であってもよい。硫酸鉄を含有することにより、鉄イオンの溶出を可能にし、水域環境や生態系に有益な影響を与えることができる。施肥効果が一層顕著に得られるという観点から、これらの中でも硫酸第一鉄が好ましい。
【００２６】
バーミキュライトは、ＳｉＯ2、ＭｇＯ及びＡｌ2Ｏ3を主成分とする物質であり、バーミキュライトを高温で熱処理したものである。バーミキュライトは、熱処理により膨張したバーミキュライトを用いてもよいし、未膨張のバーミキュライトを用いてもよい。バーミキュライトの種類や形状は特に限定されず、公知のものを用いることもできる。バーミキュライトは、その塩基置換容量（ＣＥＣ）が高いため、より優れた施肥効果が得られる。
【００２７】
本実施形態の施肥剤組成物に含まれるバーミキュライトの形態や種類については、特に限定されない。例えば、黒雲母が加水変質して出来た鉱石であって、熱すると蛭の様に膨張する性質を有するものが挙げられる。また、本実施形態では、その効果の範囲内で、バーミキュライト由来の物質を使用することができる。ここでいうバーミキュライト由来の物質には、上記したバーミキュライトを化学的・物理的に処理をしたもの等も包含される。かかるものとしては、例えば、酸性物質により処理されたバーミキュライトが挙げられ、具体的には、バーミキュライトに含有される鉱物性元素等を硫酸等の酸性物質を用いて抽出或いは濃縮してバーミキュライトの処理液としたもの等が挙げられる。特に、後述する型枠部材等に含浸させて用いる場合等を考慮すると、液体であることが好ましい。
【００２８】
通常、バーミキュライトから鉱物性元素を抽出或いは濃縮する際には、硫酸等の酸性物質を用いて処理するため、得られる処理液は強酸性となる傾向にある。そのため、従来では、酸性物質により処理されたバーミキュライトは、殺菌や水質浄化といった用途に制限される場合があった。しかしながら、本実施形態では、酸性物質により処理されたバーミキュライトを、後述するコンクリート製の型枠部材等と併用することで、アルカリ性であるコンクリートと反応して中性の生育環境を効果的に作り出すことが可能となる。さらに、バーミキュライトに含まれている微量元素成分を効率よく取り出すことができるため、藻類の細胞を一層活性化させ、藻類の栄養吸収を一層促進することができる。
【００２９】
本実施形態の施肥剤組成物に含まれる溶剤としては、特に限定されず、上記した硫酸鉄やバーミキュライトを溶解することができるものであればよく、その種類は限定されない。溶剤としては、例えば、水、海水等のように無機塩を含有する水溶液等が用いられる。これらの中でも、経済性や環境に優しいという観点から、海水が好ましい。このように、本実施形態の施肥剤組成物は液状であるので、後述する型枠部材等の各種部材を施肥剤組成物に含浸させることができる。更には、これら部材に対して施肥剤組成物を均一に付着させることや、重ねて付着することもできるため、経済性や効果の継続性の調整を可能とすることができる。
【００３０】
本実施形態の施肥剤組成物における各成分の配合比は、特に限定されず、所望する効果や使用の目的等を考慮して適宜に選択することができる。特に、硫酸鉄の含有量が３０〜４５質量％であり、バーミキュライトの含有量が０．０３〜０．２０質量％であることが好ましく、硫酸鉄の含有量が３５〜３７質量％であり、バーミキュライトの含有量が０．０５〜０．１５質量％であることがより好ましい。上記含有量とすることにより、本実施形態の効果が一層顕著となる。バーミキュライトの含有量を０．０３質量％以上とすることで、バーミキュライトに含有されているＴｉ等による紫外線防止効果が一層向上する傾向にあり、一層優れた施肥効果を付与することができる。バーミキュライトの含有量を０．０３質量％以上とすることで、バーミキュライトに含有されている成分による凝集効果が一層向上する傾向にあり、使用初期における懸濁物質の影響を緩和させることができ、その結果、生育環境保護に一層優れた効果が期待できる。
【００３１】
さらに、本実施形態の施肥剤組成物は、その効果の範囲内で他の添加剤を更に含有していてもよい。本実施形態に係る施肥剤組成物は、Ｎａ、Ｍｇ、Ｍｎ、Ｚｎ、Ｓ及びＣｕからなる群より選ばれる少なくとも１種を含む化合物を更に含有することが好ましい。これにより、胞子着礁後の細胞分裂の速度ならびに発芽後から生育速度を速めることができる。Ｎａを含む化合物としては、例えば、塩化ナトリウム、チオ硫酸ナトリウム等が挙げられる。Ｍｇを含む化合物としては、例えば、塩化マグネシウム、酢酸マグネシウム、硫酸マグネシウム等が挙げられる。Ｍｎを含む化合物としては、例えば、水酸化マンガン、塩化マンガン、過マンガン酸カリウム等が挙げられる。Ｚｎを含む化合物としては、例えば、水酸化亜鉛等が挙げられる。Ｓを含む化合物としては、例えば、硫酸マグネシウム等が挙げられる。Ｃｕを含む化合物としては、例えば、水酸化銅（Ｉ）、水酸化銅（ＩＩ）等が挙げられる。これの化合物は１種単独で用いてもよいし、２種以上を併用してもよい。
【００３２】
本実施形態の施肥剤組成物の製造方法としては、特に限定されず、例えば、上記した各成分を水等の溶媒に溶解させる方法等が挙げられる。より経済的な方法としては、例えば、チタン鉱製造工程や鉄鋼スラグ製造工程等で生成される硫酸鉄等も用いることができる。あるいは、海水等を溶媒として用いることができる。
【００３３】
本実施形態に係る施肥剤組成物の使用方法は特に限定されず、使用環境等に応じて適宜好適な方法を採用することができる。簡便な方法としては、河川や海洋中に直接散布する方法を採用できる。また、本実施形態に係る施肥剤組成物を土壌や吸収性樹脂等のような吸収性部材に含浸させたものを土嚢等に充填し、水中に吊り下げたり、静置したりする方法も採用できる。特に好ましい態様の一つとして、上記施肥剤組成物を含浸させた部材を備えるブロックマット用型枠やブロックマットとすることが挙げられる。例えば、ブロックマット用型枠として施肥剤組成物が含浸された部材を用いてブロックマット用型枠（型枠部材）とし、この型枠部材の内部をコンクリートにより充填したものをブロックマットとして使用することができる。これにより、藻場や魚場を構成し、かつそこに着床する水中植物の生育を促進することができる。施肥剤組成物を部材に含浸させることで、ブロックマット用型枠やブロックマットに対する施肥剤組成物の付着性を一層向上させることができる。例えば、従来のコンクリート製のブロックマットでは施肥剤をブロックマットの表面に塗布するのみであったので、付着が不十分であり、十分な施肥効果が得られなかった。しかしながら、本実施形態のブロックマットを河川や海洋中に敷設した場合、その部材に含浸された施肥剤組成物が水中に溶出することにより、施肥剤組成物による薬液効果が一層有効に働き、藻類等の水中生物の育成を効果的に促進させることができる。
【００３４】
さらに、本実施形態のコンクリート製のブロックマットに用いるコンクリートは、通常アルカリ性である。したがって、上記したような、酸性物質により処理されたバーミキュライトを含有する施肥剤組成物を用いる場合、酸性物質により処理されたバーミキュライトがコンクリートと反応することで、中性の生育環境を効果的に作り出すことができるという効果も得られるため好ましい。
【００３５】
施肥剤組成物を含浸させる部材の材質としては、施肥剤組成物を含浸することができるものであれば良く、その種類は特に限定されない。かかる部材の材質としては、例えば、含浸性やブロックマットを敷設時の作業容易性等の観点から藁、麻等の布が好ましく、防水性や強度の観点から幌布がより好ましい。
【００３６】
上記部材に施肥剤組成物を含浸させる方法としては、施肥剤組成物が上記部材に染み込めばよく、その方法は特に限定されない。例えば、液状の施肥剤組成物を用いる場合、予め汲み置いた施肥剤組成物（溶液）中に部材を漬け置く方法（いわゆる「どぶ漬け」）や、部材表面に施肥剤組成物（溶液）を吹き付けることにより含浸させるといった方法等が挙げられる。
【００３７】
以下、本実施形態のブロックマット用型枠及びブロックマットの形態についてより詳細に説明する。
【００３８】
（ブロックマット用型枠及びブロックマット）
図１は、本実施形態のブロックマットの平面図であり、図２は、同ブロックマットの側面図である。ブロックマット１０は、海洋や河川の護岸ブロックとして適用することができる。ブロックマット１０は、硬化したコンクリート１２と、このコンクリート１２の中心部に設けられた円孔１４の内周面を被覆する内壁層１６と、コンクリート１２の外周の縦壁面を被覆する外壁層１８と、コンクリート１２の底面を被覆する床底層２０とを備えている。外壁層１８には、天然素材であるヤシ繊維で形成された補強板２４が設けられている。補強板２４は外壁層１８の外壁側（ブロックマット１０の外側）に設けてもよいし、内壁側（ブロックマット１０の内側）に設けてもよいが、後述するコンクリート打設後の形状保持効果の観点から、内壁側に設けることが好ましい。この補強板２４は、外壁層１８に設けられた保持部２２によって保持されている。
【００３９】
上記構成のブロックマット１０の外形寸法は、特に限定されないが、例えば、全量が２トンタイプのものでは、平面視で縦×横が１３００〜１６００ｍｍ×１３００〜１６００ｍｍ、高さが３５０〜４５０ｍｍ程度となっており、敷設する河川海洋の状況によって適宜好適な外形寸法を選択することができる。すなわち、敷設する面の傾斜角度、面積、水面との相対位置、直線性等を考慮して、ブロックマット１０の形状を適宜好適なものに選択することができるが、標準的なサイズは上記のとおりである。
【００４０】
本実施形態では、河川や海洋等の敷設工事現場等において、生コンクリート（硬化前のコンクリート、「フレッシュコンクリート」ともいう。）を型枠２６（図３参照）に流し込み、この型枠２６を含めブロックマット１０としている。すなわち、前述したコンクリート１２以外の内壁層１６、外壁層１８、床底層２０、保持部２２、補強部材２４が型枠２６を構成する部品であり、ブロックマット用型枠となる。本実施形態では、このブロックマット用型枠全体が上記施肥剤組成物により含浸されたものであってもよいし、その一部の部材が上記施肥剤組成物により含浸されたものであってもよい。
【００４１】
上記の中で、内壁層１６、外壁層１８、床底層２０及び保持部２２は、布製であり、予め縫製によって袋状に形成されていることが好ましい。これらは布製であるため、縫製後であっても折り畳むことが可能となっている。布の種類は、防水性や強度の観点から、幌布であることがより好ましい。本実施形態では、河川や海洋等における護岸ブロック敷設工事の際には、必要な数だけの型枠２６を製造し、折り畳んだ状態で現場へ運搬することができるため、作業容易性に優れるとともに、作業場の制限を緩和することができる。
【００４２】
なお、型枠２６の形状は特に限定されないが、形状追従性の観点から好ましくは織物であり、その織り方は、目地を細かくすることで、少なくとも、生コンクリートがしみだしてこないようにすることができる。かかる観点から、防水加工が施されていることがより好ましい。
【００４３】
図３は、本実施形態に係るブロックマット用型枠を立体的に展開したときの平面図であり、図４は、同ブロックマット用型枠を立体的に展開したときの側面断面図である。図３及び図４は、型枠２６の折り畳みを解除して立体的に構成した状態であり、コンクリート１２（図１及び図２参照）を流し込む前の状態を示している。
【００４４】
内壁層１６と外壁層１８との間には、帯状部材２８が掛け渡されている。この帯状部材２８は柔軟性の観点から幌布製であることが好ましく、内壁層１６と外壁層１８とのそれぞれに対して縫製処理されていることがより好ましい。帯状部材２８は、形状保持性の観点から、平面視において、内壁層１６からほぼ均等の角度（約４５°）で放射状に外壁層１８へと延設されていることが好ましい。また、側面視では同一平面視上位置において、上下２枚構造となっている。前記角度は帯状部材の数によっても適宜決定される。
【００４５】
この帯状部材２８は、硬化前のコンクリート１２（図１及び図２参照）が流し込まれると、このコンクリート１２に埋没することになるが、硬化前のコンクリート１２が外壁層１８に対して与える圧力によって緊張し、内壁層１６との距離を保持する役目を有している。この帯状部材２８の緊張によって、コンクリート１２が硬化するまで外壁層１８の変形を抑制することができる。
【００４６】
また、コンクリート１２を流し込む前においては、内壁層１６の内側に、筒体である塩化ビニールパイプ３０が挿入され、中心部に立設している。この塩化ビニールパイプ３０は、内壁層１６が流し込まれたコンクリート１２によって潰されることを抑止するものであり、内壁層１６を基部として維持することができる。
【００４７】
さらに、この塩化ビニールパイプ３０の上端部３０Ａの周縁と、外壁層１８の上端部１８Ａとの間には、線材３２が張り巡らされている。この線材３２は、前記帯状部材２８による外壁層１８のコンクリート１２からの圧力維持の機能も発揮することができる。
【００４８】
上記のような準備（幌布製の型枠２６の立体化、並びに塩化ビニールパイプ３０の内壁層１６への挿入、線材３２の外壁層１８への掛止め等）が完了した時点で、生コンクリートが、内壁層１６と外壁層１８と床底層２０との間の空間に流し込まれ、硬化してコンクリート１２となる。
【００４９】
以下に、本実施形態のブロックマット用型枠及びブロックマットの製造手順についてより詳細に説明する。図５は、本実施形態に係るブロックマット用型枠の製造手順の前半を説明するための概略図であり、型枠の立体的展開状態を示す斜視図である。図６は、本実施形態に係るブロックマット用型枠の製造手順の前半を説明するための概略図であり、内壁層への塩化ビニールパイプの挿入状態を示す斜視図である。図５は、折り畳まれた型枠２６の内壁層１６と外壁層１８とを立設した状態であり、この状態で帯状部材２８が緊張した状態で内壁層１６と外壁層１８との間の距離が決まる。なお、図５では、立体形状が保持されているが、幌布製等の場合、必ずしもこのような状態を維持する必要はない。
【００５０】
次に、図６に示される如く、内壁層１６の内側に塩化ビニールパイプ３０を挿入して立設する。この塩化ビニールパイプ３０の挿入によって、内壁層１６はその円筒形状を維持することができる。なお、この図６では外壁層１８は立設されているが、幌布製等の柔軟性を有する部材からなる場合、必ずしも外壁層１８がこのような状態で自立する必要はない。
【００５１】
続いて、製造手順の後半を説明する。図７は、本実施形態に係るブロックマット用型枠の製造手順の後半を説明するための概略図であり、外壁層への補強部材の装着状態を示す斜視図である。図８は、本実施形態に係るブロックマット用型枠の製造手順の後半を説明するための概略図であり、塩化ビニールパイプと外壁層との間への線材の掛止状態を示す斜視図である。まず、図７に示すように、外壁層１８の内壁側に設けられた保持部２２に補強部材２４を装着する。補強部材２４には切り込み２４Ａが設けられている。補強部材２４の切り込み２４Ａに型枠２６の帯状部材２８を通しながら、補強部材２４を外壁層１８と保持部２２の間に装填することにより、外壁層１８の内壁側に補強部材２４を装着することができる。補強部材２４の装着により外壁層１８の自立が可能となる。
【００５２】
そして、図８に示すように、塩化ビニールパイプ３０の上端部３０Ａと、外壁層１８の上端部１８Ａとに線材３２を掛け渡す。線材３２の数は限定されないが、複数本であることが好ましい。この掛け渡しは、例えば、線材３２の両端にフック等を取り付けることで掛止することができる。線材３２の長さ寸法は、特に限定されないが、掛止が完了した時点で、外壁層１８が、ほぼ鉛直方向に立設した状態となるように設定することが好ましい。この寸法設定は、例えば、前述したようにフックを用いることで取り付け位置を調整可能としておけば、容易に寸法を調整することができる。
【００５３】
図８の状態で、硬化前のコンクリート１２を流し込む。このコンクリート１２の流し込みにより、内壁層１６及び外壁層１８には、コンクリート１２から圧力が加えられ、緊張させることができる。このとき、塩化ビニールパイプ３０が挿入されているため、内壁層１６は円筒形状が維持される。外壁層１８は、帯状部材２８が突っ張り、かつ線材３２が緊張することで、コンクリート１２の圧力に耐え、図８の状態を維持することができる。
【００５４】
流し込んだコンクリート１２が硬化した後、線材３２を取り除き、塩化ビニールパイプ３０を抜き取ることにより、ブロックマット１０の完成品が得られる（図１及び図２参照）。
【００５５】
完成品のブロックマット１０では、帯状部材２８はコンクリート１２に埋没する。補強部材２４はヤシ繊維等のヤシ素材であるため、護岸ブロックとして河川や海洋に敷設された際には植生や魚群の好適な生息場所を形成し得る。
【００５６】
以上説明したように、本実施形態では、河川や海洋等の護岸ブロック敷設工事現場に、折り畳まれた型枠２６を必要な数だけ運搬し、その現場で、幌布製で折り畳まれた型枠２６を立体化し、所定の補強（塩化ビニール３０の挿入、線材３２の掛止等）を施した後、生コンクリート（硬化前のコンクリート１２）を流し込むことにより、型枠どおりにコンクリート１２が硬化する。その後、塩化ビニール３０及び線材３２を排除することで（型枠２６はそのまま）、ブロックマット１０を完成させることができる。
【００５７】
なお、ブロックマット１０では、型枠２６の素材として幌布を用いているが、その理由は、上記施肥剤組成物を含浸することができる材質であること、防水処理を施すことが可能であること、強度に優れていること、及び、天然素材であるので、他の素材が経年変化により腐食等を起こした場合であっても有害物質等を水中に流出することが無く環境への負担を軽減できること等からである。しかしながら、本実施形態において、施肥剤組成物を含浸させることができる部材を少なくとも有し、折り畳み可能であり、所定の強度や防水性を有する材質等であれば、他の素材であってもよいことは勿論である。例えば、敷設環境によっては、無機繊維や有機繊維等を使用できる。
【実施例】
【００５８】
以下、実施例により本発明を詳細に説明するが、本発明はこれらに限定されるものではない。
【００５９】
＜実施例１＞
（水槽実験（房州ちくら漁業協力組合））
まず、建設用に供するセメント（太平洋セメント社製、普通ボルトランドセメント）、砂利小粒、砂細目を混合して略直方体に成形し、３週間静置して硬化体を得た。得られた硬化物を切断して、４ｃｍ×４ｃｍ×１２ｃｍの直方体を、試験体とした。まず、硫酸第一鉄（石原テクノ産業社製）５００ｇとバーミキュライトより抽出したミネラル液（ウォーターデザイン研究所より入手、商品名「シーマロック」；以下、「バーミキュライト処理液」という。）２ｇを、海水１４９８ｇに溶解させて、施肥剤溶液１（合計重量２０００ｇ）を準備した。そして、表１に示す大きさのコンブ（Ｌａｍｉｎａｒｉａ  ｊａｐｏｎｉｃａ）の葉体を試験体に着生させた。そして、房州ちくら漁業協力組合の養殖実験施設の海水を循環装置付き水槽内に入れ、水温を１４〜１８℃に維持した状態で、水を循環させて３週間生育させた。３週間後にコンブを取り出し、葉長葉幅及び重量の増加量を測定し、試験開始からどれだけ生長したか評価した。なお、試験は２体の試験体を用いて行い、その平均値に基づき評価した（Ｎ＝２）。
【００６０】
＜比較例１＞
施肥剤溶液を使用しない点以外は、実施例１と同様にして試験した。
【００６１】
＜比較例２＞
施肥剤溶液として、バーミキュライト処理液を含有せず、硫酸第一鉄と海水のみ含有する施肥剤溶液２を２０００ｇ（硫酸第一鉄５００ｇ、海水１５００ｇ）使用した点以外は、実施例１と同様にして試験した。
【００６２】
実施例１及び比較例１、２の結果を表１に示す。
【００６３】
【表１】
2014231437.tif 000003
【００６４】
表１に示すように、実施例１は、比較例１及び２に比較して、コンブの生長が促進されていることが確認された。特に、比較例１及び２に比較して、実施例１ではコンブの重量増加が著しいことが確認された。
【００６５】
＜実施例２＞
（実海域実験）
施肥剤溶液の効果を実海域において検証した。
まず、実施例１で作製した施肥剤溶液１（２０００ｇ）に対して、芝目土（鹿沼興産社製）と赤土（福沢工業社製、赤土５号）を３：２の割合で混合した混合土５０００ｇを混ぜて、１週間乾燥させた。これを２０ｃｍ×３０ｃｍの大きさの通水性の韓国産麻製土嚢袋に充填したものを準備した。
そして、コンブ（Ｌａｍｉｎａｒｉａ  ｊａｐｏｎｉｃａ）の胞子を巻きつけた育成実験ロープに、上記土嚢袋をぶら下げて、漁港内の海洋中に７９日間配置した。実験は、実験開始から４５日目と７９日目のコンブの重量、株数、葉長、葉幅を測定した。試験中の水温条件は１３〜１７℃の範囲であった。試験は同一条件につき３株を３０ｃｍ間隔でロープに装着し、その平均値に基づき評価した（Ｎ＝３）。
【００６６】
＜比較例３＞
施肥剤溶液１を使用しない点以外は、実施例１と同様にして試験した。
【００６７】
＜比較例４＞
施肥剤溶液１の替わりに、バーミキュライト処理液を含有しない施肥剤溶液２を用いた点以外は、実施例１と同様にして試験した。
【００６８】
実施例２及び比較例３、４の結果を表２に示す。
【００６９】
【表２】
2014231437.tif 000004
【００７０】
表２に示すように、実施例２は、比較例３及び４に比較して、コンブの生長が促進されていることが確認された。
【産業上の利用可能性】
【００７１】
本発明に係る施肥剤組成物は、藻類等の水中生物の育成を効果的に促進させることができ、環境に優しい河川・海洋施肥剤として用いることができる。また、それを用いたブロックマット用型枠及びブロックマットは、海洋・河川の護岸ブロック等として用いることができる。
【符号の説明】
【００７２】
１０・・・ブロックマット（護岸ブロック）、１２・・・コンクリート、１４・・・円孔、１６・・・内壁層（基部）、１８・・・外壁層（表層部）、１８Ａ・・・上端部、２０・・・床底層、２２・・・保持部、２４・・・補強板（補強部材）、２６・・・型枠部材（型枠）、２８・・・帯状部材（保持部）、３０・・・塩化ビニールパイプ（筒体）、３０Ａ・・・上端部、３２・・・線材
【図１】
2014231437.tif 000005
【図２】
2014231437.tif 000006
【図３】
2014231437.tif 000007
【図４】
2014231437.tif 000008
【図５】
2014231437.tif 000009
【図６】
2014231437.tif 000010
【図７】
2014231437.tif 000011
【図８】
2014231437.tif 000012